(57)【要約】【課題】  既存の乗りかごに後付方式で、吹き出し装置を取り付けて、乗りかご本体内部の温度差を小さくし、各利用者が冷房効果を体感できるようにするとともに、乗りかご本体内の温度差を無くし、冷房装置の温度設定を容易にする。【解決手段】  クッション材１７を介在した状態で、乗りかご本体１の側板３と、照明装置８との間に、吹き出し装置１６ａを取り付け、吹き出しダクト１２を介して供給される冷気等を吹き出し装置１６ａに取り付けた各案内板１５の角度に応じた方向に吹き出する。【選択図】      図１
2005280901.tif 000002
【特許請求の範囲】
【請求項１】
エレベータの乗りかご本体に設置された空気調和ユニットと、
この空気調和ユニットから供給される調整空気を乗りかご本体内に導く吹き出しダクトと、
前記乗りかご本体内の上部隅に配置され、前記吹き出しダクトを介して供給される調整空気を角度調整自在な案内板を介して、指定された方向に吹き出す吹き出し装置と、
を備えたことを特徴とするエレベータの乗りかご用空調装置。
【請求項２】
請求項１に記載のエレベータの乗りかご用空調装置において、
前記吹き出し装置と前記乗りかご本体との隙間を塞ぐクッション材を配置した、
ことを特徴とするエレベータの乗りかご用空調装置。
【請求項３】
請求項１または２に記載のエレベータの乗りかご用空調装置において、
前記吹き出し装置を構成する吹き出しケース内に前記調整空気の風量を調整する補助送風機を配置した、
ことを特徴とするエレベータの乗りかご用空調装置。
【発明の詳細な説明】
【技術分野】
【０００１】
本発明は、乗りかご内部を均一に空調制御可能にしたエレベータの乗りかご用空調装置に関する。
【背景技術】
【０００２】
ビルなどに設置されるエレベータシステムでは、近年、乗りかごが大型化され、乗りかごに取り付けられた送風機を動作させただけでは、乗りかご内部を十分に冷却することができないことが多い。
【０００３】
そこで、このような問題を解決する方法として、乗りかごに冷房装置を取り付け、乗りかご内部を積極的に冷房することができる乗りかごが開発されている。
【特許文献１】特開平８−２４５１３６号公報
【発明の開示】
【発明が解決しようとする課題】
【０００４】
ところで、このような冷房装置が取り付けられた乗りかごでは、意匠性などを考慮して側板と照明装置との間、あるいは側板に冷房装置の吹き出しグリルを取り付ける構造が一般的であり、次に述べるような問題があった。
【０００５】
まず、乗りかご内に冷気をうまく広げることができず、特定の場所に冷気が集中してしまうため、乗りかご内に温度差が生じてしまい、乗りかご内の各利用者に不快感を与えてしまうことがあった。
【０００６】
また、側板に沿った狭い範囲だけに冷気が流れ、乗りかご内の側板側と中央部側との間にかなりの温度差が生じてしまうため、冷房装置の温度設定が難しく、設定内容によっては、乗りかご内の利用者は冷房効果を体感することができないという問題があった。
【０００７】
本発明は上記の事情に鑑み、既存の乗りかご内部に配置された照明装置などに影響を与えることなく、後付けで乗りかご内部に吹き出し装置を取り付けることができ、吹き出しダクトを介して供給された冷気などの調和空気を指定された方向に吹き出すことができるエレベータの乗りかご用空調装置を提供することを目的としている。
【課題を解決するための手段】
【０００８】
上記の目的を達成するために本発明は、請求項１では、エレベータの乗りかご本体に設置された空気調和ユニットと、この空気調和ユニットから供給される調整空気を乗りかご本体内に導く吹き出しダクトと、前記乗りかご本体内の上部隅に配置され、前記吹き出しダクトを介して供給される調整空気を角度調整自在な案内板を介して、指定された方向に吹き出す吹き出し装置とを備えたことを特徴としている。
【０００９】
請求項２では、請求項１に記載のエレベータの乗りかご用空調装置において、前記吹き出し装置と前記乗りかご本体との隙間を塞ぐクッション材を配置したことを特徴としている。
【００１０】
請求項３では、請求項１または２に記載のエレベータの乗りかご用空調装置において、前記吹き出し装置を構成する吹き出しケース内に前記調整空気の風量を調整する補助送風機を配置したことを特徴としている。
【発明の効果】
【００１１】
本発明によれば、既存の乗りかご内部に配置された照明装置などに損傷などの影響を与えることなく、後付けで乗りかご内部に吹き出し装置を取り付けることができ、吹き出しダクトを介して供給された冷気などの調和空気を指定された風量で、指定された方向に吹き出すことができる。また、乗りかご内部の温度差を小さくすることができるとともに、温度設定を容易にすることができる。
【発明を実施するための最良の形態】
【００１２】
図１は本発明によるエレベータの乗りかご用空調装置の一実施形態を示す斜視図である。
【００１３】
初めに、乗りかごについて説明すると、乗りかご本体１は、かご床２、２枚の側板３、後板、２枚の前板４、天板５などによって箱状に形成され、乗りかご本体１を構成している各前板４の間に開閉自在に取り付けられるドア６、乗りかご本体１を構成している一方の前板４に取り付けられ、利用者によって操作されたとき、行先階情報、ドア閉情報、ドア開情報などを生成し、エレベータ制御盤（図示は省略する）に供給する行先入力装置７と、乗りかご本体１を構成している天板５に取り付けられ、蛍光灯などを点灯して、乗りかご本体１内を照明する照明装置８とを備えている。
【００１４】
本発明の実施形態である乗りかご用空調装置９は、乗りかご本体１上に配置され、エレベータ制御盤からの指示に応じて、冷気等を生成する空気調和ユニット１０と、空気調和ユニット１０と乗りかご本体１の上部側とを繋ぐように配置され、乗りかご本体１の上部から空気を吸い込んで、空気調和ユニット１０に供給する吸い込みダクト１１と、空気調和ユニット１０と乗りかご本体１の上部側とを繋ぐように配置され、空気調和ユニット１０によって生成された冷気等の調和空気を乗りかご本体１の上部に導く吹き出しダクト１２とを備えている。また、この乗りかご用空調装置９は、図２、図３に示すように、筒状に形成される吹き出しケース１３、複数の回転軸１４によって、吹き出しケース１３の下部に形成された開口部に角度調整自在に配置される複数の案内板１５などによって構成され、乗りかご本体１の側板３と照明装置８との間に配置されて、吹き出しダクト１２を介して供給される冷気等を乗りかご本体１内に吹き出す吹き出し装置１６ａと、図４に示すように、吹き出しケース１３の上部に取り付けられ、乗りかご本体１の側板３上部と照明装置８との間に、吹き出し装置１６ａを取り付けるとき、吹き出しケース１３と照明装置８（または、天板５など）とが直接、接触しないようにするクッション材１７とを備えている。
【００１５】
そして、乗りかご用空調装置９は、エレベータ制御盤などから乗りかご本体１内を冷房する冷房指示が出力され、空気調和ユニット１０が動作しているとき、乗りかご本体１内→吸い込みダクト１１→空気調和ユニット１０なる経路で、乗りかご本体１内の空気が空気調和ユニット１０に取り込まれ、これを冷却しつつ、空気調和ユニット１０→吹き出しダクト１２→吹き出し装置１６ａなる経路で、冷却動作で得られた冷気等が吹き出し装置１０に供給され、各案内板１５の角度に応じた方向に吹き出される。
【００１６】
このように、この実施形態では、乗りかご本体１の側板３と、照明装置８との間に、吹き出し装置１６ａを取り付け、吹き出しダクト１２を介して供給される冷気等を各案内板１５の角度に応じた方向に吹き出すようにしたので、手動で各案内板１５の角度を調整するだけで、吹き出しダクト１２を介して供給された冷気等などを所望方向に吹き出すことができ、これによって乗りかご本体１内部の温度差を小さくでき、各利用者は冷房効果を体感することができる。また、乗りかご本体１内の温度差を無くすことができるため、空気調和ユニット１０の温度設定が容易となる。
【００１７】
また、この実施形態では、吹き出し装置１６ａを構成する吹き出しケース１３の上部などにクッション材１７を配置して、吹き出しケース１３と、照明装置８（または、天板５など）とが直接、接触しないようにした。このため、既存の乗りかご本体１の内部に配置された照明装置８などに損傷等の影響を付けることなく、後付けで吹き出し装置１６ａを取り付けることができ、乗りかご本体１内部の温度差を小さくすることができる。
【００１８】
《第２の実施形態》
なお、上述した実施形態では、吹き出しケース１３の下部に形成された開口部に角度調整自在に取り付けられた複数の案内板１５を用いて、冷気等の吹き出し方向を変える吹き出し装置１６ａを使用するようにしているが、図５に示すように、複数の角度調整自在な案内板２１を持ち、回転自在に構成される複数の吹き出し方向切替器２２を吹き出しケース１３の下部に取り付けた吹き出し装置１６ｂを使用し、各吹き出し方向切替器２１を各々、回転して、冷気等の吹き出し方向を調整するようにしても良い。
【００１９】
このように、第２の実施形態では、乗りかご本体１の側板３と、照明装置８との間に取り付けられる吹き出し装置として、各案内板２１の角度を調整するとともに、各吹き出し方向切替器２２を回転して、冷気等の吹き出し方向を調整するようにした吹き出し装置１６ｂを使用するようにしているので、手動で各案内板２１の角度を調整したり、各吹き出し方向切替器２２の回転角度を調整することにより、吹き出しダクト１２を介して供給された冷気等を各案内板２１の角度、各吹き出し方向切替器２２の回転角度に応じた各方向に各々、吹き出して、乗りかご本体１の内部温度差をさらに小さくし、各利用者は冷房効果を体感することができるとともに、温度設定を容易にすることができる。
【００２０】
《第３の実施形態》
また、このような吹き出し装置１６ｂに代えて、図６に示すように、吹き出しケース１３内に補助送風機３１を配置し、吹き出しダクトを介して供給される冷気等の風量を増加するようにした吹き出し装置を使用するようにしても良い。
【００２１】
このように、第３の実施形態では、乗りかご本体１の側板３と、照明装置８との間に取り付けられる吹き出し装置として、吹き出しケース１３内に補助送風機３１が配置された吹き出し装置１６ｃを使用しているので、補助送風機３１の送風量を調整するだけて、吹き出しダクト１２を介して供給された冷気等などを指定された風量で、指定された方向に吹き出して、乗りかご本体１の内部温度差を小さくでき、各利用者は最適な空調効果を体感することができるとともに、温度設定も容易となる。
【図面の簡単な説明】
【００２２】
【図１】本発明によるエレベータの乗りかご用空調装置の第１の実施形態を示す斜視図である。
【図２】図１に示す吹き出し装置の断面図である。
【図３】図２に示す吹き出し装置をＡ方向から見たときの矢視図である。
【図４】図１に示す吹き出し装置の斜視図である。
【図５】本発明によるエレベータの乗りかご用空調装置の第２の実施形態で使用される吹き出し装置の正面図である。
【図６】本発明によるエレベータの乗りかご用空調装置の第３の実施形態で使用される吹き出し装置の断面図である。
【符号の説明】
【００２３】
１：乗りかご本体
２：かご床
３：側板
４：前板
５：天板
６：ドア
７：行先入力装置
８：照明装置
９：乗りかご用空調装置
１０：空気調和ユニット
１１：吸い込みダクト
１２：吹き出しダクト
１３：吹き出しケース
１４：回転軸
１５：案内板
１６ａ、１６ｂ、１６ｃ：吹き出し装置
１７：クッション材
２１：案内板
２２：吹き出し方向切替器（案内板群）
３１：補助送風機
【図１】
2005280901.tif 000003
【図２】
2005280901.tif 000004
【図３】
2005280901.tif 000005
【図４】
2005280901.tif 000006
【図５】
2005280901.tif 000007
【図６】
2005280901.tif 000008